(57)【要約】【課題】シールド部材が誤って熱交換器から外れることが抑えられる空気調和機を提供する。【解決手段】空気調和機は、分割された室内熱交換器２０と、シールド部材２４とを備える。室内熱交換器２０は、分割面の側端近傍から突出するＵ字型伝熱管２０７ａ，２０７ｂを有する。シールド部材２４は、分割されている室内熱交換器２０の間を空気が通過することを防ぐ。そして、シールド部材２４は、Ｕ字型伝熱管２０７ａ，２０７ｂを囲むようにしてＵ字型伝熱管２０７ａ，２０７ｂに係止する第１係止部２６を有する。【選択図】        図４
2004156891.tif 000002
【特許請求の範囲】
【請求項１】
分割されている熱交換器（２０）と、
前記分割されている熱交換器（２０）の間を空気が通過することを防ぐシールド部材（２４）と、
を備え、
前記熱交換器（２０）は、分割面の側端近傍から突出するＵ字型伝熱管（２０７ａ，２０７ｂ）を有し、
前記シールド部材（２４）は、前記Ｕ字型伝熱管（２０７ａ，２０７ｂ）を囲むようにして前記Ｕ字型伝熱管（２０７ａ，２０７ｂ）に係止する第１係止部（２６）を有する、
空気調和機（１）。
【請求項２】
前記第１係止部（２６）には、前記Ｕ字型伝熱管（２０７ａ，２０７ｂ）が挿入される孔（２６１，２６２）が設けられている、
請求項１に記載の空気調和機（１）。
【請求項３】
前記第１係止部（２６）は、前記シールド部材（２４）の一方の側端に設けられる、
請求項１または２に記載の空気調和機（１）。
【請求項４】
前記熱交換器（２０）が収容されるケーシング（２３）をさらに備え、
前記熱交換器（２０）の分割面の側端近傍から突出する前記Ｕ字型伝熱管（２０７ａ，２０７ｂ）が前記ケーシング（２３）の側面（２３６）近傍に位置するように前記熱交換器（２０）は配置されており、
前記第１係止部（２６）は、前記ケーシング（２３）の前記側面（２３６）近傍に位置する前記Ｕ字型伝熱管（２０７ａ，２０７ｂ）に係止するように設けられる、
請求項３に記載の空気調和機（１）。
【請求項５】
前記熱交換器（２０）は、逆Ｖ字型の断面形状を有し、頂上部分（Ｔ）で分割されている、
請求項１から４のいずれかに記載の空気調和機（１）。
【請求項６】
室内機（２）と室外機（３）とに分かれており、
前記熱交換器（２０）は、前記室内機（２）に配置される室内熱交換器（２０）である、
請求項１から５のいずれかに記載の空気調和機（１）。
【発明の詳細な説明】
【０００１】
【発明の属する技術分野】
本発明は、空気調和機、特に分割された熱交換器を備える空気調和機に関する。
【０００２】
【従来の技術】
熱交換器を備える空気調和機には、熱交換器が分割されているものがある。このような空気調和機においては、分割された熱交換器の間を空気が通過してしまう恐れがある。そして、このような場合は熱交換の効率が低下する。このため、分割された熱交換器を備える空気調和機では、分割された熱交換器の間を空気が通ることを防止するためのシールド部材が設けられる。このシールド部材は、通常、熱交換器に固定されるため、熱交換器に係止する係止部を有していることが多い。従来、この係止部には、熱交換器を構成するフィンに圧入されることにより熱交換器に係止するものや、フィンに挿通されている伝熱管に係止するもの等がある（特許文献１参照）。これらの係止部が熱交換器に係止することにより、シールド部材が熱交換器に取り付けられる。
【０００３】
【特許文献１】
登録実用新案第２５３２３６０号公報
【０００４】
【発明が解決しようとする課題】
しかし、上記のように熱交換器に取り付けられるシールド部材では、取り付けられた後も熱交換器から外れ易いという問題がある。例えば、熱交換器を構成するフィンの間に圧入されることにより係止部が熱交換器に係止する場合には、圧入方向と逆方向に力が加わると、係止部はフィンの間から容易に抜けてしまい、シールド部材が熱交換器から容易に外れてしまう。また、フィンに挿通されている伝熱管に係止部が係止する場合も同様に、シールド部材に力が加わると、シールド部材は熱交換器から容易に外れてしまう。このため、例えば、熱交換器が収容された室内機のケーシングを取り外す場合や取り付ける場合には、ケーシングの一部がシールド部材と接触することがあり、シールド部材に力が加わる。このため、シールド部材が熱交換器から誤って外れ易い。
【０００５】
本発明の課題は、シールド部材が誤って熱交換器から外れることが抑えられる空気調和機を提供することにある。
【０００６】
【課題を解決するための手段】
請求項１に記載の空気調和機は、分割された熱交換器と、シールド部材とを備える。熱交換器は、分割面の側端近傍から突出するＵ字型伝熱管を有する。シールド部材は、分割されている熱交換器の間を空気が通過することを防ぐ。そして、シールド部材は、Ｕ字型伝熱管を囲むようにしてＵ字型伝熱管に係止する第１係止部を有する。
【０００７】
この空気調和機では、第１係止部が、分割面の側端近傍から突出するＵ字型伝熱管を囲むように係止する。このため、熱交換器に取り付けられたシールド部材に力が加わった場合でも、第１係止部がＵ字型伝熱管から外れ難い。このため、この空気調和機では、シールド部材が誤って熱交換器から外れることが抑えられている。
【０００８】
請求項２に記載の空気調和機は、請求項１に記載の空気調和機であって、第１係止部には、Ｕ字型伝熱管が挿入される孔が設けられている。
この空気調和機では、係止部がＵ字型伝熱管に係止するときに、係止部の孔にＵ字型伝熱管が挿入された状態となる。このため、係止部がＵ字型伝熱管の全周囲を囲んで係止する。従って、熱交換器に取り付けられたシールド部材に力が加わった場合でも、係止部がＵ字型伝熱管からさらに外れ難くなる。このため、この空気調和機では、シールド部材が誤って熱交換器からより外れることがより抑えられている。
【０００９】
請求項３に記載の空気調和機は、請求項１または２に記載の空気調和機であって、第１係止部は、シールド部材の一方の側端に設けられる。
Ｕ字型伝熱管を囲むように係止する第１係止部はＵ字型伝熱管から外れ難いが、その反面、取付方向が制限される。このため、第１係止部がシールド部材の両端に設けられると、取付方向の制限が大きくなりシールド部材の取付が行い難くなる。
【００１０】
しかし、この空気調和機では、第１係止部は、シールド部材の一方の側端に設けられる。このため、取付方向の制限が小さくなっている。これにより、この空気調和機では、シールド部材の取付が行い難くなることが抑制される。
請求項４に記載の空気調和機は、請求項３に記載の空気調和機であって、熱交換器が収容されるケーシングをさらに備える。熱交換器は、熱交換器の分割面の側端近傍から突出するＵ字型伝熱管がケーシングの側面近傍に位置するように配置されている。そして、第１係止部は、ケーシングの側面近傍に位置するＵ字型伝熱管に係止するように設けられる。
【００１１】
この空気調和機では、第１係止部は、シールド部材の一方の側端に設けられ、ケーシングの側面近傍に位置するＵ字型伝熱管に係止する。ケーシングの側面近傍は、ケーシングの取付や取外しの際にケーシングが接触し易く、シールド部材が外れ易い場所である。しかしながら、この場所に第１係止部が設けられているため、シールド部材が誤って外れることが抑えられる。このように、この空気調和機では、シールド部材の取付が行い難くなることが抑制されると共に、シールド部材が誤って外れることが抑えられる。
【００１２】
請求項５に記載の空気調和機は、請求項１から４のいずれかに記載の空気調和機であって、熱交換器は、逆Ｖ字型の断面形状を有し、頂上部分で分割されている。
熱交換器が、逆Ｖ字型の断面形状を有し頂上部分で分割されている場合、頂上部分の熱交換器の間を空気が通過し易い。
【００１３】
しかし、この空気調和機では、頂上部分の熱交換器の間を空気が通過することをシールド部材により防止することができる。このため、熱交換の効率が低下することを抑制することができる。また、第１係止部がＵ字型伝熱管から外れ難いため、シールド部材が誤って熱交換器から外れることが抑えられている。
請求項６に記載の空気調和機は、請求項１から５のいずれかに記載の空気調和機であって、室内機と室外機とに分かれている。そして、熱交換器は、室内機に配置される室内熱交換器である。
【００１４】
この空気調和機では、シールド部材は、室内熱交換器に取り付けられている。室内機は、室内に配置されるため小型化の要請が強く、小型化のために室内熱交換器は分割されて形成される場合が多い。このため、シールド部材は室内熱交換器において必要性が大きく、シールド部材が誤って外れることが抑えられるという効果はさらに有効である。
【００１５】
【発明の実施の形態】
＜構成＞
〔空気調和機の外観〕
本発明の一実施形態が採用された空気調和機１の外観を図１に示す。
この空気調和機１は、室内の壁面などに取り付けられる室内機２と、室外に設置される室外機３とを備えている。
【００１６】
室内機２内には室内熱交換器２０が収納され、室外機３内には室外熱交換器が収納されており、各熱交換器が冷媒配管４により接続されることにより冷媒回路を構成している。
〔空気調和機の冷媒回路の構成概略〕
空気調和機１の冷媒回路の構成を図２に示す。この冷媒回路は、主として室内熱交換器２０、アキュムレータ３１、圧縮機３２、四路切換弁３３、室外熱交換器３０及び電動膨張弁３４で構成される。
【００１７】
室内機２に設けられている室内熱交換器２０は、接触する空気との間で熱交換を行う。また、室内機２には、室内空気を吸い込んで室内熱交換器２０との間で熱交換を行った後の空気を室内に排出するためのクロスフローファン２１が設けられている。クロスフローファン２１は、円筒形状に構成され、周面には回転軸方向に羽根が設けられているものであり、回転軸と交わる方向に空気流を生成する。このクロスフローファン２１は、室内機２内に設けられるファンモータ２２によって回転駆動される。室内機の詳細な構成については後に説明する。
【００１８】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、ファンモータ３９によって回転駆動される。
【００１９】
〔室内機の構成〕
（室内機の全体構成）
室内機２は、図１に示すように、正面視に置いて横方向に長い室内機ケーシング２３を備えており、前述した室内熱交換器２０やクロスフローファン２１は、室内機２の室内機ケーシング２３内に収容されている。また、室内熱交換器２０は後に説明するように分割されており、室内機２は、分割されている室内熱交換器２０の間を空気が通過することを防ぐシールド部材２４を備えている（図３及び図４参照）。
【００２０】
（室内機ケーシング）
図３に室内機２の側面断面図を示す。
室内機ケーシング２３は、前面パネル２３ａと底フレーム２３ｂとにより構成されている。
前面パネル２３ａは、上面２３０、下面２３２、前面２３５及び側面２３６，２３７（図１参照）によって構成されている。上面２３０は、室内熱交換器２０の上方を覆っており、複数のスリット状の開口からなる吸込み口２３１が設けられている。下面２３２は、室内熱交換器２０及びクロスフローファン２１の下方を覆っており、室内機２の長手方向に沿う開口からなる吹出し口２３３が設けられている。また、吹出し口２３３には、室内へと吹出す空気が案内される水平フラップ２３４が設けられている。この水平フラップ２３４は、室内機２の長手方向に平行な軸を中心に回動自在に設けられている。水平フラップ２３４は、フラップモータ（図示せず）によって回動することにより、吹出し口２３３の開閉を行うことができる。前面２３５は、概ね平坦に形成されており、室内熱交換器２０の前方を覆っている。側面２３６、２３７は、図１に示すように、室内熱交換器２０の側方を覆っている。側面２３６，２３７には、左側面２３６と右側面２３７とがあり、左側面２３６は正面視において室内熱交換器２０の左側方、右側面は室内熱交換器２０の右側方に配置されている。
【００２１】
底フレーム２３ｂは、室内機２の背面を構成しており、室内熱交換器２０の後方を覆っている。
また、室内熱交換器２０の下方には、熱交換時に室内熱交換器の表面に発生する水滴を受け取るためのドレンパン２３８が設けられている。このドレンパン２３８には、受け取った水滴を外部に排出するためのドレンホース（図示せず）が取り付けられている。冷房運転時には、室内熱交換器２０は蒸発側熱交換器として作用するため、室内熱交換器２０と接触する空気中に含まれる水分が凝縮して水滴となって滴下する。ドレンパン２３８は、このような水滴を受け取ってドレンホースによって排水するように構成されている。
【００２２】
（室内熱交換器）
室内熱交換器２０は、クロスフローファン２１の前方、上方および後部上方を取り囲むように取り付けられている。室内熱交換器２０は、クロスフローファン２１の駆動により吸込み口２３１から吸い込まれた空気をクロスフローファン２１側に通過させ、伝熱管２０５の内部を通過する冷媒との間で熱交換を行わせる。室内熱交換器２０は、側面視において概ね逆Ｖ字型の断面形状を有している。
【００２３】
室内熱交換器２０は、第１室内熱交換器２０ａ、第２室内熱交換器２０ｂ、第３室内熱交換器２０ｃ、第４室内熱交換器２０ｄの４つの部分に分割されている。分割された各室内熱交換器２０ａ，２０ｂ，２０ｃ，２０ｄは、それぞれ水平方向に長い板状の形状を有している。
第１室内熱交換器２０ａは、上端が室内機２の前方へ向けて傾斜して配置されており、クロスフローファン２１の上方から後部上方を覆うように配置されている。第２室内熱交換器２０ｂは、上端が室内機２の後方へ向けて傾斜して第１室内熱交換器２０ａの前方に配置されている。第２室内熱交換器２０ｂの上端は、第１室内熱交換器２０ａの上端に近接している。このように第１室内熱交換器２０ａの上端と第２室内熱交換器２０ｂの上端とが近接することにより、逆Ｖ字型の頂上部分Ｔが形成されている。第２室内熱交換器２０ｂは、クロスフローファン２１の上方を覆うように配置されている。第３室内熱交換器２０ｃは、第２室内熱交換器２０ｂの下方に配置されており、第３室内熱交換器２０ｃの上端は第２室内熱交換器２０ｂの下端に近接している。第３室内熱交換器２０ｃは、クロスフローファン２１の前方を覆うように配置されている。第４室内熱交換器２０ｄは、下端が室内機２の後方へ傾斜しており、第３室内熱交換器２０ｃの下方に配置されている。第４室内熱交換器２０ｄの上端は、第３室内熱交換器２０ｃの下端に近接している。
【００２４】
第１室内熱交換器２０ａ、第２室内熱交換器２０ｂ、第３室内熱交換器２０ｃ、第４室内熱交換器２０ｄは、それぞれ両側端（正面視における左右方向の端）に設けられた固定板により相互に固定されることにより、一体となって室内熱交換器２０を形成している。
各室内熱交換器２０ａ，２０ｂ，２０ｃ，２０ｄは、両側端で複数回折り返されてなる伝熱管２０５と、伝熱管２０５が挿通される複数のフィン２０６とから構成されている。伝熱管２０５は、各室内熱交換器２０ａ，２０ｂ，２０ｃ，２０ｄの長手方向に平行に配置され、図４に示すように、各室内熱交換器２０ａ，２０ｂ，２０ｃ，２０ｄの両側端においてＵ字型伝熱管２０７によって折り返されている。Ｕ字型伝熱管２０７は、各室内熱交換器２０ａ，２０ｂ，２０ｃ，２０ｄの両側面から室内熱交換器２０の長手方向に向けてそれぞれ突出している。室内熱交換器２０が室内機ケーシング２３に配置された状態では、Ｕ字型伝熱管２０７は、室内機ケーシング２３の側面２３６，２３７に向けて水平方向へ突出することになる。なお、室内熱交換器２０の右側面には、伝熱管２０５の終端部２０８が突出している。この終端部２０８には、他の冷媒回路構成部品に接続される冷媒配管が接続されるため、Ｕ字型伝熱管２０７は設けられていない。
【００２５】
この室内熱交換器２０は、図１に示すように、室内機２内で左側に偏って配置されており、室内熱交換器２０の左側端が室内機ケーシング２３の左側面２３６に近接している。また、室内熱交換器２０の右側端と室内機ケーシング２３の右側面２３７との間の空間は、室内機２内で取り回されて室内熱交換器２０に接続される冷媒配管の収納空間となっている。このため、室内熱交換器２０の左側面から突出するＵ字型伝熱管２０７は、室内機ケーシング２３の左側面２３６に近接している。
【００２６】
上記のように室内熱交換器２０は、各室内熱交換器２０ａ，２０ｂ，２０ｃ，２０ｄが固定板によって両側端で固定されて一体にされたものであるが、各室内熱交換器２０ａ，２０ｂ，２０ｃ，２０ｄの分割面の間には、長手方向に沿って隙間が存在する。特に、第１室内熱交換器２０ａと第２室内熱交換器２０ｂとによって形成される頂上部分Ｔの隙間は、吸込み口２３１のすぐ内側であって、吸込み口２３１とクロスフローファン２１との間に位置しているため、空気が通り易くなっている。そして、この隙間を通る空気は、熱交換率の低下の原因となる。このため、室内熱交換器２０には、この隙間を塞ぐシールド部材２４が取り付けられる。
【００２７】
なお、上記における「左右」は、室内機２の正面視における左右を意味しており、特に室内熱交換器２０に関する「左右」は、室内熱交換器２０が室内機２に備えられた状態での正面視における左右を意味している。また、以下に説明するシールド部材２４に関する「左右」もシールド部材２４が取り付けられた室内熱交換器２０が室内機２に備えられた状態での正面視における左右を意味している。
【００２８】
（シールド部材）
シールド部材２４は、分割されている室内熱交換器２０の間を空気が通過することを防ぐ樹脂製の部材である。シールド部材２４は、第１室内熱交換器２０ａと第２室内熱交換器２０ｂとによって形成される頂上部分Ｔの隙間に被さるように取り付けられ、隙間を塞ぐ（図３参照）。シールド部材２４は、図４に示すように、隙間を塞ぐ本体２５と、第１係止部２６と、第２係止部２７とを有している。
【００２９】
本体２５は、頂上部分Ｔに沿って上方から被せられるため、図５に示すように、第１室内熱交換器２０ａと第２室内熱交換器２０ｂとによって形成される頂上部分Ｔの形状に合うようにＶ字型の断面形状となっている。この頂上部分Ｔの隙間は室内熱交換器２０の長手方向に沿って存在するため、本体２５も、室内熱交換器２０の長手方向の長さと略同じ長さの細長い形状となっている。また、本体２５には、長手方向に沿って等間隔に爪部２５１，２５２が設けられている。この爪部２５１，２５２は、室内熱交換器２０を構成するフィン２０６の間に圧入されることにより、本体２５の浮きやずれを防止する。
【００３０】
第１係止部２６は、図６に示すように、Ｕ字型伝熱管２０７を囲むようにＵ字型伝熱管２０７に係止し、シールド部材２４を室内熱交換器２０の左側面に固定する。第１係止部２６は、本体２５の長手方向に対して垂直に設けられている。第１係止部２６は、シールド部材２４の一方の側端に設けられており、シールド部材２４が室内熱交換器２０に取り付けられた状態では、室内機ケーシング２３の左側面２３６に近接する。第１係止部２６には、Ｕ字型伝熱管２０７が挿入される孔２６１，２６２が設けられている。この孔２６１，２６２は、室内機ケーシング２３の左側面２３６近傍に位置するＵ字型伝熱管２０７のうち、頂上部分Ｔの分割面の側端近傍から突出するＵ字型伝熱管２０７ａ，２０７ｂが挿入されるように配置されている。この場合、分割面とは、頂上部分Ｔを構成する第１室内熱交換器２０ａと第２室内熱交換器との上端の面を意味している。従って、Ｕ字型伝熱管２０７ａ，２０７ｂは、室内熱交換器２０の左側面から突出するＵ字型伝熱管２０７であって、第１室内熱交換器２０ａと第２室内熱交換器とのそれぞれの上端近傍に位置するものである。第１係止部２６がＵ字型伝熱管２０７ａ，２０７ｂに係止したときに、孔６１に第１室内熱交換器２０ａ側のＵ字型伝熱管２０７ａが挿入された状態となり、孔２６２に第２室内熱交換器２０ｂ側のＵ字型伝熱管２０７ｂが挿入された状態となる。Ｕ字型伝熱管２０７ａ，２０７ｂは、室内熱交換器２０の側面の外側から、すなわちＵ字型伝熱管２０７ａ，２０７ｂが突出する室内熱交換器２０の側方から孔２６１，２６２に挿入され係止される。また、第１係止部２６は、湾曲部２６３を有している。湾曲部２６３は、本体２５の長手方向に平行な軸を中心に円弧状に湾曲する部材である。湾曲部２６３は、分割面の側端近傍の第２室内熱交換器２０ｂ側から突出するもう１つのＵ字型伝熱管２０７ｃの一部に沿って湾曲しており、Ｕ字型伝熱管２０７ｃの一部を上方から覆って係止する。
【００３１】
第２係止部２７は、図７に示すように、室内熱交換器２０の右側面から突出する伝熱管の終端部２０８に上方から被せられ終端部２０８に係止することで、シールド部材２４を室内熱交換器２０に固定する。第２係止部２７は、本体２５の長手方向に垂直に設けられている。第２係止部２７は、シールド部材２４の他方の側端に設けられている。室内機２に配置された室内熱交換器２０にシールド部材２４が取り付けられた状態では、第２係止部２７は、室内熱交換器２０の右側端に位置する。第２係止部２７は、２つの湾曲部２７１，２７２を有している。湾曲部２７１，２７２は、本体２５の長手方向に平行な軸を中心に円弧状に湾曲する部材である。湾曲部２７１，２７２は、本体２５を挟んで前後に配置されている。湾曲部２７１，２７２は、伝熱管の終端部２０８に沿って湾曲しており、伝熱管の終端部２０８を上方から覆って係止する。伝熱管の終端部２０８は、室内熱交換器２０の右側面から突出し分割面の右側端近傍に位置している。湾曲部２７１は、第１室内熱交換器２０ａ側の伝熱管の終端部２０８に係止し、湾曲部２７２は、第２室内熱交換器２０ｂ側の伝熱管の終端部２０８に係止する。
【００３２】
＜特徴＞
（１）
この空気調和機１では、室内熱交換器２０が分割されて逆Ｖ字型に形成されている。このため、室内熱交換器２０がクロスフローファン２１を覆うような配置が可能となり、室内熱交換器２０の面積を十分に確保することができる。また、室内機ケーシング２３の内部の空間を有効に利用することができ、室内機２が小型化されている。
【００３３】
しかし、このように室内熱交換器２０が分割されている場合、分割された各室内熱交換器２０ａ，２０ｂ，２０ｃ，２０ｄの間には隙間が生じる。この隙間のうち、特に頂上部分Ｔの隙間は、室外の空気が吸い込まれる吸込み口２３１のすぐ内側に位置するため、空気が通過し易い。この隙間を通る空気は熱交換率の低下の原因となる。
【００３４】
この空気調和機１では、シールド部材２４が頂上部分Ｔの隙間を空気が通過することを防止することができる。このため、熱交換の効率が低下することが防止されている。
（２）
この空気調和機１では、第１係止部２６がＵ字型伝熱管２０７ａ，２０７ｂに側方から取り付けられて係止したときに、シールド部材２４の第１係止部２６の孔２６１，２６２にＵ字型伝熱管２０７ａ，２０７ｂが挿入された状態となる。そして、このＵ字型伝熱管２０７ａ，２０７ｂは、室内熱交換器２０の左側面から側方へと突出している。従って、室内機２に配置された室内熱交換器２０に取り付けられた状態では、第１係止部２６は、Ｕ字型伝熱管２０７ａ，２０７ｂの上下及び前後の全周囲を囲んでいる。このため、室内熱交換器２０に取り付けられたシールド部材２４に前後方向又は上下方向に力が加わった場合でも、第１係止部２６がＵ字型伝熱管２０７ａ，２０７ｂから外れ難くなっている。このため、この空気調和機１の室外機３では、シールド部材２４が室内熱交換器２０から外れ難くなっている。これにより、シールド部材２４が室内熱交換器２０から誤って外れることが防止されている。
【００３５】
（３）
第１係止部２６のように、Ｕ字型伝熱管２０７ａ，２０７ｂの上下及び前後の全周囲を囲むように係止すると、Ｕ字型伝熱管２０７ａ，２０７ｂから外れ難くなるが、その反面、第１係止部２６の取付方向が側方からに制限される。このため、シールド部材２４の両端が第１係止部２６のような形状とされると、取付方向の制限が大きく、シールド部材２４の取付が行い難くなる。
【００３６】
しかし、この空気調和機１では、第１係止部２６は、シールド部材２４の一方の側端に設けられる。また、他方の側端に設けられる第２係止部２７は、伝熱管の終端部２０８の上方から係止されるような形状となっている。このため、シールド部材２４を取り付ける際には、まず第１係止部２６を側方からＵ字型伝熱管２０７ａ，２０７ｂに取り付けて孔２６１，２６２にＵ字型伝熱管２０７ａ，２０７ｂが挿入された状態とし、次に第２係止部２７を伝熱管の終端部２０８の上方から係止させて取り付ければよい。このように、シールド部材２４では、取付方向の制限が小さくなっており、室内熱交換器２０への取付が容易である。
【００３７】
また、上記のように、第１係止部２６は、シールド部材２４の一方の側端に設けられるが、特に室内熱交換器２０の左側端に係止されるように設けられている。この位置は、図１に示すように、室内機ケーシング２３の左側面２３６に近接する位置である。そして、この位置は、室内機ケーシング２３の取付や取外しの際に室内機ケーシング２３の左側面２３６がシールド部材２４に接触し易く、シールド部材２４が外れ易い場所となっている。
【００３８】
しかし、この空気調和機１では、第１係止部２６は、シールド部材２４が室内熱交換器２０に取り付けられた際に室内機ケーシング２３の左側面２３６に近接する側の側端に設けられている。従って、この空気調和機１では、シールド部材２４が外れ易い方の側端が第１係止部２６によって外れ難くされていると共に、比較的外れ難い方の側端に第２係止部２７を設けることによってシールド部材２４の取付が行い易くなっている。
【００３９】
このように、この空気調和機１ではシールド部材２４の取付が行い易くなっており、また、室内機ケーシング２３の取付や取外しの際にもシールド部材２４が誤って外れ難くなっている。このため、室内機２の組立性が向上している。
＜他の実施形態＞
（１）
上記の実施形態では、シールド部材２４は、空気調和機１の室内機２に配置される室内熱交換器２０に取り付けられている。しかし、室外機３に配置される室外熱交換器３０が分割されている場合には、シールド部材２４は、室外熱交換器３０に取り付けられてもよい。
【００４０】
（２）
上記の実施形態では、シールド部材２４の第１係止部２６にはＵ字型伝熱管２０７ａ，２０７ｂが挿入された状態となる孔２６１，２６２が設けられているが、第１係止部２６は、孔２６１，２６２のようにＵ字型伝熱管２０７ａ，２０７ｂの周囲を完全に囲むものでなくてもよい。例えば、Ｕ字型伝熱管２０７ａ，２０７ｂのうちシールド部材２４対する反対側まで、すなわちＵ字型伝熱管２０７ａ，２０７ｂの下部までを囲むように湾曲する湾曲部が設けられてもよい。シールド部材２４は室内熱交換器２０の隙間に上方から被せられて取り付けられるため、上方への力に弱く外れ易い。従って、Ｕ字型伝熱管２０７ａ，２０７ｂの下部を係止するように湾曲する湾曲部が設けられていれば、シールド部材２４に上方への力が加えられたときに湾曲部がＵ字型伝熱管２０７ａ，２０７ｂの下部に引っ掛かりシールド部材２４が誤って外れ難くなる。
【００４１】
（３）
上記の実施形態では、第１係止部２６はシールド部材２４の左側端にのみ設けられているが、シールド部材２４の両端を第１係止部２６と同じ形状としてもよい。上述したように、シールド部材２４の両端を第１係止部２６と同じ形状とした場合は、シールド部材２４の取り付けが行い難くなるが、樹脂の弾性を利用して取り付けることは可能である。そして、シールド部材２４の両端を第１係止部２６と同じ形状とすることにより、シールド部材２４が室内熱交換器２０から誤って外れることがさらに確実に防止される。
【００４２】
【発明の効果】
請求項１に記載の空気調和機では、第１係止部が、分割面の側端近傍から突出するＵ字型伝熱管を囲むように係止する。このため、熱交換器に取り付けられたシールド部材に力が加わった場合でも、第１係止部がＵ字型伝熱管から外れ難い。このため、この空気調和機では、シールド部材が誤って熱交換器から外れることが抑えられている。
【００４３】
請求項２に記載の空気調和機では、係止部がＵ字型伝熱管に係止するときに、係止部の孔にＵ字型伝熱管が挿入された状態となる。このため、係止部がＵ字型伝熱管の全周囲を囲んで係止する。従って、熱交換器に取り付けられたシールド部材に力が加わった場合でも、係止部がＵ字型伝熱管からさらに外れ難くなる。このため、この空気調和機では、シールド部材が誤って熱交換器からより外れることがより抑えられている。
【００４４】
請求項３に記載の空気調和機では、第１係止部は、シールド部材の一方の側端に設けられる。このため、取付方向の制限が小さくなっている。これにより、この空気調和機では、シールド部材の取付が行い難くなることが抑制される。
請求項４に記載の空気調和機では、第１係止部は、シールド部材の一方の側端に設けられ、ケーシングの側面近傍に位置するＵ字型伝熱管に係止する。ケーシングの側面近傍は、ケーシングの取付や取外しの際にケーシングが接触し易く、シールド部材が外れ易い場所である。しかしながら、この場所に第１係止部が設けられているため、シールド部材が誤って外れることが抑えられる。このように、この空気調和機では、シールド部材の取付が行い難くなることが抑制されると共に、シールド部材が誤って外れることが抑えられる。
【００４５】
請求項５に記載の空気調和機では、頂上部分の熱交換器の間を空気が通過することをシールド部材により防止することができる。このため、熱交換の効率が低下することを抑制することができる。また、第１係止部がＵ字型伝熱管から外れ難いため、シールド部材が誤って熱交換器から外れることが抑えられている。
請求項６に記載の空気調和機では、シールド部材は、室内熱交換器に取り付けられている。室内機は、室内に配置されるため小型化の要請が強く、小型化のために室内熱交換器は分割されて形成される場合が多い。このため、シールド部材は室内熱交換器において必要性が大きく、シールド部材が誤って外れることが抑えられるという効果はさらに有効である。
【図面の簡単な説明】
【図１】空気調和機の外観図。
【図２】冷媒回路の構成図。
【図３】室内機の側面断面図。
【図４】室内熱交換器及びシールド部材の図。
【図５】シールド部材の側面断面図。
【図６】室内熱交換器に取り付けられた状態のシールド部材の左側面図。
【図７】室内熱交換器に取り付けられた状態のシールド部材の右側面図。
【符号の説明】
１                  空気調和機
２                  室内機
３                  室外機
２０                室内熱交換器（熱交換器）
２３                室内機ケーシング（ケーシング）
２４                シールド部材
２６                第１係止部
２０７ａ，２０７ｂ  Ｕ字型伝熱管
２６１，２６２      孔
Ｔ                  頂上部分
【図１】
2004156891.tif 000003
【図２】
2004156891.tif 000004
【図３】
2004156891.tif 000005
【図４】
2004156891.tif 000006
【図５】
2004156891.tif 000007
【図６】
2004156891.tif 000008
【図７】
2004156891.tif 000009